(57)【要約】【課題】デジタル放送受信時にも選局から視聴可能になるまでの時間を短縮し番組切り換えをすばやく行うことができるデジタル放送受信装置を提供することを目的とする。【解決手段】マイコン１０２は次にユーザが選局する番組を予測し、使われていない受信機にその予測番組を選局するようネットワークコントローラ１０３で指示し、あらかじめデジタルデコードしたオーディオビデオ信号を取得しておく。【選択図】図１
2006157496.tif 000002
【特許請求の範囲】
【請求項１】
デジタルテレビ放送を選局するチューナと、前記チューナの出力するデジタルストリームをベースバンドの第１のオーディオビデオ信号に復号するデジタルデコーダと、リモートコントローラにより指示する第１の選局情報から前記チューナと前記デジタルデコーダを選局制御しかつ前記第１の選局情報にもとづく第２の選局情報をネットワークコントローラに入力するマイコンと、前記第２の選局情報を外部ネットワークに出力する前記ネットワークコントローラと、前記第１のオーディオビデオ信号と外部から入力する第２のオーディオビデオ信号を前記マイコンの指示で切り換えるスイッチと、を備えたデジタル放送受信装置。
【請求項２】
デジタルテレビ放送を選局するチューナと、前記チューナの出力するデジタルストリームをベースバンドの第１のオーディオビデオ信号に復号するデジタルデコーダと、リモートコントローラにより指示する第１の選局情報から前記チューナと前記デジタルデコーダを選局制御しかつ前記第１の選局情報にもとづく第２の選局情報をネットワークコントローラに入力するマイコンと、前記第２の選局情報と前期デジタルデコーダの出力する第１のオーディオビデオ信号を外部ネットワークに出力しかつ外部からの第２のオーディオビデオ信号を取得する前記ネットワークコントローラと、前記第１のオーディオビデオ信号と前記第２のオーディオビデオ信号を前記マイコンの指示で切り換えるスイッチと、を備えたデジタル放送受信装置。
【発明の詳細な説明】
【技術分野】
【０００１】
本発明は、地上波・衛星・ケーブル等のデジタル放送を受信するデジタル放送受信装置に関するものである。
【背景技術】
【０００２】
従来のデジタル放送受信装置は、ユーザがリモートコントローラで選局を指示し、その選局情報に基づきチューナを選局しデジタルデコーダでデジタル復号する結果得られるオーディオビデオ信号を表示出力している（例えば特許文献１参照。）。
【０００３】
以下に、従来のデジタル放送受信装置について説明する。
【０００４】
図４は従来のデジタル放送受信装置のブロック図を示すものである。ユーザは第１のリモートコントローラ（以下、「リモコン」という。）４０７で視聴する番組を選局する。その選局情報をマイコン４０４が取得し、デジタル放送のＲＦ入力をチューナ４０２で選局する。チューナ４０２は選局したデジタルストリーム、例えば幾つかの番組情報を多重化したトランスポートストリームを出力する。次に、デジタルデコーダであるＭＰＥＧデコーダ４０３でＭＰＥＧ（Ｍｏｖｉｎｇ  Ｐｉｃｔｕｒｅ  Ｅｘｐｅｒｔｓ  Ｇｒｏｕｐで策定された動画圧縮方法式）フォーマットのトランスポートストリームを伸長復号するデジタルデコードを行い、ベースバンドのオーディオビデオ信号を出力する。これをモニター４０５で表示再生しユーザは始めて選局した番組を視聴可能となる。図４はこの同じ機能の受信機４０６を３つ設置している場合を示していて、例えばユーザは第１のリモコン、第２のリモコンおよび第３のリモコンを使用して各々独立に第１の第１の受信機、第２の受信機および第３の受信機を利用する。
【特許文献１】特開平１１−１６８７２９号公報
【発明の開示】
【発明が解決しようとする課題】
【０００５】
しかしながら上記従来の構成では、以下のような課題を有していた。デジタル放送ではアナログのオーディオビデオ信号をデジタル圧縮して放送しているために、元のアナログのオーディオビデオ信号に伸長復号する必要がある。この伸長復号に要する時間が長いために、ユーザがリモコンで選局してから番組を視聴可能になるまでの時間がアナログ放送受信時と比較すると非常に長くなるという課題である。ユーザが番組を順次切り換えて番組内容をチェックしようとすると番組切り換えごとに長い時間待たされる、というのがこの課題の顕著な例である。
【０００６】
本発明は上記従来の課題を解決するもので、デジタル放送受信時にも選局から視聴可能になるまでの時間を短縮し番組切り換えをすばやく行うことができるデジタル放送受信装置を提供することを目的とする。
【課題を解決するための手段】
【０００７】
この目的を達成するため本発明のデジタル放送受信装置は、リモートコントローラにより指示する第１の選局情報からチューナとデジタルデコーダを選局制御しかつ第１の選局情報にもとづく第２の選局情報をネットワークコントローラに入力するマイコンと、第２の選局情報を外部ネットワークに出力するネットワークコントローラと、第１のオーディオビデオ信号と外部から入力する第２のオーディオビデオ信号をマイコンの指示で切り換えるスイッチとを備えている。
【０００８】
本発明は上記した構成により、以下のような作用がある。例えば、デジタル放送受信機が３機（第１の第１の受信機、第２の受信機および第３の受信機）あり、ユーザが第１の受信機でのみ視聴しているとする。第１の受信機でデジタル放送の所定番組を受信している場合、次にユーザが選局する番組をマイコンにより予測し、その選局情報に基づき使っていない第２の受信機及び第３の受信機であらかじめ選局するようネットワークコントローラによりネットワーク経由で第２の受信機及び第３の受信機に通知する。その通知に基づき第２の受信機及び第３の受信機は所定番組を選局し伸長復号によりベースバンドのオーディオビデオ信号を取得しておく。ユーザが次に番組を選局し、前述の選局番組予測が正しければ、直ちに第２の受信機及び第３の受信機で選局している番組にスイッチで切り換え表示再生し視聴可能となる。このようにデジタル放送受信時にも選局から視聴可能になるまでの時間を短縮し、番組切り換えをすばやく行うことができるという作用である。一般的に、ユーザが番組を切り換えて番組内容をチェックする場合、チャンネルのランダム選局ではなく順次アップダウンの可能性が高いので、選局番組予測も比較的容易である。
【発明の効果】
【０００９】
このように、本発明によればデジタル放送受信装置を具現化する際、デジタル放送受信時にも選局から視聴可能になるまでの時間を短縮し、番組切り換えをすばやく行うことができるデジタル放送受信装置を提供できる。
【発明を実施するための最良の形態】
【００１０】
以下、本発明におけるデジタル放送受信装置の実施の形態について、図面を参照しながら説明する。
（実施の形態１）
図１は本発明の実施の形態１におけるデジタル放送受信装置の構成を示すブロック図である。ただし図４に示した従来のデジタル放送受信装置と同じ構成要素には同一符号を付し、またその動作説明は省略する。デジタル放送受信機１０４が１機（第１の受信機）とデジタル放送受信機１０５が２機（第２の受信機及び第３の受信機）ある場合を示している。ユーザが第１の受信機でのみ視聴し、第２の受信機及び第３の受信機は視聴されていないとする。第１の受信機でデジタル放送の所定番組を受信している場合、次にユーザが選局する番組を第１の受信機のマイコン１０２により予測し、その選局予測情報を第１の受信機のネットワークコントローラ１０３に指示し、ネットワークコントローラ１０３はその指示をネットワーク経由で第２の受信機及び第３の受信機のネットワークコントローラ１０３に通知する。
【００１１】
ユーザが第１の受信機で選局している番組がチャンネル５であり、ユーザが順次チャンネル切り換えていると第１の受信機のマイコン１０２が予測すると、選局予測情報はチャンネルダウンのチャンネル４とチャンネルアップのチャンネル６となる。その通知に基づき第２の受信機はあらかじめチャンネル４を選局し、第３の受信機はあらかじめチャンネル６を選局し伸長復号によりベースバンドのオーディオビデオ信号を取得しておく。ユーザが次に番組を選局し、前述の選局予測情報が正しく例えば第３の受信機で選局している番組であるチャンネル６であれば、直ちに第３の受信機で選局している番組にスイッチ１０１で切り換え、第１の受信機のモニター４０５に表示再生し視聴可能となる。
【００１２】
なお、ネットワークは有線方式でも無線方式でもいずれでもかまわない。
（実施の形態２）
図２は本発明の実施の形態２におけるデジタル放送受信装置の構成を示すブロック図である。ただし図１に示した実施の形態１のデジタル放送受信装置及び図４に示した従来のデジタル放送受信装置と同じ構成要素には同一符号を付し、またその動作説明は省略する。例えば、選局予測情報に基づき第２の受信機はチャンネル４を選局し、第３の受信機はチャンネル６を選局し伸長復号によりベースバンドのオーディオビデオ信号を取得しておく。第２の受信機のネットワークコントローラ２０１はチャンネル４のオーディオビデオ信号をネットワーク経由で第１の受信機のネットワークコントローラ２０１に送信する用意をしておく。同様に第３の受信機のネットワークコントローラ２０１はチャンネル６のオーディオビデオ信号をネットワーク経由で第１の受信機のネットワークコントローラ２０１に送信する用意をしておく。ユーザが次に番組を選局し、前述の選局予測情報が正しく例えばチャンネル６であれば、直ちに第１の受信機のネットワークコントローラ２０１は第３の受信機のネットワークコントローラ２０１に送信要求をし、第３の受信機で選局している番組であるチャンネル６を受信する。スイッチ１０１はチャンネル６に切り換え第１の受信機のモニター４０５に表示再生し視聴可能となる。
（実施の形態３）
図３は本発明の実施の形態３におけるデジタル放送受信装置の構成を示すブロック図である。ただし図１に示した実施の形態１のデジタル放送受信装置、図２に示した実施の形態２のデジタル放送受信装置、及び図４に示した従来のデジタル放送受信装置と同じ構成要素には同一符号を付し、またその動作説明は省略する。実施の形態２では、オーディオビデオ信号を切り換えるスイッチ１０１が第１の受信機のみに内蔵されているが、実施の形態３では第２の受信機及び第３の受信機にもスイッチ１０１を内蔵している。これにより第２の受信機及び第３の受信機も実施の形態２の第１の受信機と同じ機能を実現する。すなわち、ユーザが第２の受信機でのみ番組視聴していて、第１の受信機と第３の受信機が使われていない場合、第２の受信機は実施の形態２の第１の受信機と同じ動作をする。第３の受信機のみで番組視聴している場合も同様である。
【産業上の利用可能性】
【００１３】
本発明のデジタル放送受信装置は、デジタル放送受信時にも選局から視聴可能になるまでの時間を短縮し、番組切り換えをすばやく行うことができるという優れた効果を有しているため、デジタル放送受信装置を具現化する際において有用であり、工業的価値は極めて大きい。
【図面の簡単な説明】
【００１４】
【図１】本発明における実施の形態１のデジタル放送受信装置の構成を示すブロック図
【図２】本発明における実施の形態２のデジタル放送受信装置の構成を示すブロック図
【図３】本発明における実施の形態３のデジタル放送受信装置の構成を示すブロック図
【図４】従来のデジタル放送受信装置の構成を示すブロック図
【符号の説明】
【００１５】
１０１    スイッチ
１０２    マイコン
１０３    ネットワークコントローラ
４０２    チューナ
４０３    ＭＰＥＧデコーダ
【図１】
2006157496.tif 000003
【図２】
2006157496.tif 000004
【図３】
2006157496.tif 000005
【図４】
2006157496.tif 000006